(57)【要約】【課題】排水管内の空気を排出することにより雨水の排水能力を向上させる空気抜き排水管カバーを提供する。【解決手段】竪樋の下部に接続される筒状の上側接続部４０と、前記上側接続部の下方に設けられ下端部が曲管の上端部に接続される筒状の下側接続部６０と、を備え、前記下側接続部は筒状の周壁部６２を有し、前記上側接続部は前記周壁部の周囲を覆う筒状のカバー部４４を有し、前記周壁部及び前記カバー部により形成される、前記上側接続部の筒状内部及び前記下側接続部の筒所内部により構成される平常時に雨水が流下する雨水流路から前記雨水流路外に空気を導出する空気導出路６３ａ及び前記空気導出路により導出された空気を前記カバー部の下部から排出する空気排出路６３ｂを備える。【選択図】図８
2018003463.tif 000002
【特許請求の範囲】
【請求項１】
竪樋の下部に接続される筒状の上側接続部と、
前記上側接続部の下方に設けられ下端部が曲管の上端部に接続される筒状の下側接続部と、を備え、
前記下側接続部は筒状の周壁部を有し、
前記上側接続部は前記周壁部の周囲を覆う筒状のカバー部を有し、
前記周壁部及び前記カバー部により形成される、前記上側接続部の筒状内部及び前記下側接続部の筒所内部により構成される平常時に雨水が流下する雨水流路から前記雨水流路外に空気を導出する空気導出路、及び前記空気導出路により導出された空気を前記カバー部の下部から排出する空気排出路を備えることを特徴とする空気抜き排水管カバー。
【請求項２】
前記空気導出路及び前記空気排出路は、前記周壁部の周上に上下方向に延びる通路として隣り合って形成されていることを特徴とする請求項１記載の空気抜き排水管カバー。
【請求項３】
前記周壁部の大径部の内壁に上下方向に延びる空気導出溝と
前記周壁部の小径部の外壁に上下方向に延びる空気排出溝と
を備え、
前記上側接続部は、前記下側接続部の前記周壁部内に嵌入され、
前記空気導出路は、前記上側接続部の下部により前記空気導出溝の上部を内側から覆うことにより形成され、
前記空気排出路は、前記空気排出溝を前記カバー部の内壁により外側から覆うことにより形成されること特徴とする請求項１または２記載の空気抜き排水管カバー。
【請求項４】
前記空気導出溝の上部は、前記上側接続部の下端部に形成された上側流路制御板により内側から覆われることを特徴とする請求項３記載の空気抜き排水管カバー。
【請求項５】
前記下側接続部は、立上げ管を介して前記曲管の一方の端部に接続されることを特徴とする請求項１〜４の何れか一項に記載の空気抜き排水管カバー。
【請求項６】
サイホン作用を利用した高排水雨樋と、
前記高排水雨樋を構成する竪樋の下部に請求項１〜５の何れか一項に記載の空気抜き排水管カバーを備えることを特徴とする雨水排水システム。
【請求項７】
前記曲管の他方の端部に接続される横引き管と、
前記横引き管に設けられる雨水桝及びトラップ桝と
を備え、
前記雨水桝及び前記トラップ桝の少なくとも一方は、前記横引き管内の空気溜まりの空気を排出する圧力開放蓋を備えることを特徴とする請求項６記載の雨水排水システム。
【発明の詳細な説明】
【技術分野】
【０００１】
本発明は、雨水を効率よく排水するために用いられる空気抜き排水管カバー及び雨水排水システムに関するものである。
【背景技術】
【０００２】
従来、住宅などには屋根から流れ落ちる雨水を受ける軒樋と、集水器や呼び樋を介して軒樋に接続され軒樋に集められた雨水を排水する竪樋を備えた雨樋システムが設置されている。このような雨樋システムにおいては住宅などの外観を損なうことがないように、設置される竪樋の本数を減少させる必要がある。従って１本の竪樋の単位時間当たりの排水量を増加させ、大雨時においても大量の雨水を効率よく排水することができる高排水の雨水排水システムが用いられている（例えば特許文献1参照）。
【先行技術文献】
【特許文献】
【０００３】
【特許文献１】特開２０１３−２１４４号公報
【発明の概要】
【発明が解決しようとする課題】
【０００４】
しかしながら、上述の高排水の雨水排水システムにおいては、１本の竪樋から地中に埋設されている横引き管内に流れ込む水量が増大するため竪樋と横引き管を接続する曲管内で乱流が発生し、曲管内や横引き管内に空気溜まりができる。このような場合空気溜まりにより曲管内や横引き管内の流路面積が小さくなることから雨水が流れにくくなり排水管カバーから雨水が噴出することがあった。
【０００５】
本発明の目的は、排水管内の空気溜まりの空気を排出することにより雨水の排水能力を向上させる空気抜き排水管カバー及び雨水排水システムを提供することである。
【課題を解決するための手段】
【０００６】
本発明の空気抜き排水管カバーは、竪樋の下部に接続される筒状の上側接続部と、前記上側接続部の下方に設けられ下端部が曲管の上端部に接続される筒状の下側接続部と、を備え、前記下側接続部は筒状の周壁部を有し、前記上側接続部は前記周壁部の周囲を覆う筒状のカバー部を有し、前記周壁部及び前記カバー部により形成される、前記上側接続部の筒状内部及び前記下側接続部の筒所内部により構成される平常時に雨水が流下する雨水流路から前記雨水流路外に空気を導出する空気導出路、及び前記空気導出路により導出された空気を前記カバー部の下部から排出する空気排出路を備える。
【０００７】
また本発明の空気抜き排水管カバーは、前記空気導出路及び前記空気排出路が前記周壁部の周上に上下方向に延びる通路として隣り合って形成されていてもよい。
【０００８】
また本発明の空気抜き排水管カバーは、前記周壁部の大径部の内壁に上下方向に延びる空気導出溝と、前記周壁部の小径部の外壁に上下方向に延びる空気排出溝とを備え、前記上側接続部は、前記下側接続部の前記周壁部内に嵌入され、前記空気導出路は、前記上側接続部の下部により前記空気導出溝の上部を内側から覆うことにより形成され、前記空気排出路は、前記空気排出溝を前記カバー部の内壁により外側から覆うことにより形成されていてもよい。
【０００９】
また本発明の空気抜き排水管カバーは、前記下側接続部が立上げ管を介して前記曲管の一方の端部に接続されていてもよい。
【００１０】
また本発明の雨水排水システムは、サイホン作用を利用した高排水雨樋と、前記高排水雨樋を構成する竪樋の下部に本発明の空気抜き排水管カバーを備えていてもよい。
【００１１】
また本発明の雨水排水システムは、前記曲管の他方の端部に接続される横引き管と、前記横引き管に設けられる雨水桝及びトラップ桝とを備え、前記雨水桝及び前記トラップ桝の少なくとも一方は、前記横引き管内の空気溜まりの空気を排出する圧力開放蓋を備えていてもよい。
【発明の効果】
【００１２】
本発明によれば、排水管内の空気溜まりの空気を排出することにより雨水の排水能力を向上させる空気抜き排水管カバー及び雨水排水システムを提供することができる。
【図面の簡単な説明】
【００１３】
【図１】実施の形態に係る雨水排水システムの全体構成を示す図である。
【図２】実施の形態に係る高排水機構の構成を示す図である。
【図３】実施の形態に係る高排水機構の構成を示す図である。
【図４】実施の形態に係る空気抜き排水管カバーの下方向からの斜視図である。
【図５】実施の形態に係る空気抜き排水管カバーの上側接続部のカバー部の図示を省略した斜視図である。
【図６】実施の形態に係る上側接続部の縦断面図である。
【図７】実施の形態に係る下側接続部の斜視図である。
【図８】実施の形態に係る空気抜き排水管カバーのカバー部の図示を省略した斜視図である。
【図９】実施の形態に係る空気抜き排水管カバーの下側接続部の上端における横断面図である。
【発明を実施するための形態】
【００１４】
以下、図面を参照して本発明の実施の形態に係る空気抜き排水管カバー及び雨水排水システムについて説明する。図１は実施の形態に係る雨水排水システムの全体構成を示す図である。図１に示すように雨水排水システム２は、軒樋４に集められた雨水を竪樋６を介して横引き管８に流出させるように構成されている。即ち、雨水排水システム２は、屋根の軒先に取り付けられた軒樋４と、上端部が集水器５（図２参照）を介して軒樋４に接続された竪樋６と、竪樋６の下端部が上端部に接続された空気抜き排水管カバー１０と、空気抜き排水管カバー１０の下端部に上端部が接続された立上げ管１２と、立上げ管１２の下端部に一方の端部が接続された曲管１４と、曲管１４の他方の端部に接続された横引き管８と、横引き管８に設けられている雨水桝１８、トラップ桝２０及び合流桝２２と、竪樋６の上下方向の中間部に設けられたオーバーフローソケット２６を備えている。ここで合流桝１８は、下流側に接続される接続管２４を介して下水本管Ｐに接続されている。なおオーバーフローソケット２６は、空気抜き排水管カバー１０や雨水桝１８などが冠水して竪樋６内の雨水を排水できない場合に竪樋６から雨水を逃がす機能を有している。
【００１５】
竪樋６は、硬質塩化ビニル樹脂等により形成された円筒状の管部材であり、図２に示すように上端部が軒樋４に設けられた落し口３２が形成された集水器５に接続され、住宅などの外壁に、外壁から所定間隔をあけて上下方向に配設されている。また軒樋４及び竪樋６は、大雨時に軒樋４内に流入した雨水の排水能力を向上させるために、サイホン作用を利用した高排水機構を備えている。
【００１６】
図２及び図３に示すようにサイホン作用を利用した高排水機構を備える高排水雨樋は、軒樋２内の底部に軒樋２の延在方向に沿って配設された吸水管２８と、竪樋６内に配設された負圧誘発管３０と、集水器５に形成された落し口３２において上端部が吸水管２８の一方の端部に接続され下端部が負圧誘発管３０の上端部に接続される継手３４を備えて構成されている。吸水管２８、負圧誘発管３０及び継手３４は、例えばポリカーボネート、ポリ塩化ビニル、ポリオレフィンなどの熱可塑性合成樹脂を用い押出成形や射出成形によって形成されている。吸水管２８と負圧誘発管３０は、例えば３５〜６０ｍｍの外径を有している。
【００１７】
図３に示すように吸水管２８は両端が開口した筒状体であり、集水器５と反対側の開口部２８ａの近傍に複数の吸水孔２８ｂを有している。この吸水孔２８ｂは吸水管２８の径方向からも雨水を取り込めるように設けられた貫通孔である。
【００１８】
負圧誘発管３０は、例えば６０〜１００ｍｍの外径を有する竪樋６内に挿入され、負圧誘発管３０の外面と竪樋６の内面との間に隙間をあけて配設されている。負圧誘発管３０は、竪樋４と略同等の長さで形成され下端部が空気抜き排水管カバー１０内に位置するように配設されている。また負圧誘発管３０は、軒樋４内の雨水を引っ張って自然落下よりも高速で排水させるための負圧を誘発する負圧誘発部３０ａを備えている。負圧誘発部３０ａは、吸水管２８から流入した雨水が流れる管内流路の一部の流路面積が負圧誘発管３０の他の部分よりも小さくなるように、負圧誘発管３０を絞って形成されている。なお負圧誘発部３０ａは、軒樋４の落し口３２から例えば１ｍ以上、下方の位置に形成することが好ましい。
【００１９】
図４は空気抜き排水管カバーの下方向からの斜視図である。空気抜き排水管カバー１０は、竪樋６に接続される筒状の上側接続部４０と、上側接続部４０の下方に設けられ立上げ管１２の上端部に接続される筒状の下側接続部６０を備えている。
【００２０】
図５は空気抜き排水管カバーの上側接続部のカバー部の図示を省略した斜視図であり、図６は上側接続部の縦断面図である。上側接続部４０は、カバー部４４と、上側接続壁部４６とを備えている。上側接続壁部４６は、竪樋６の下部が挿入される開口４２を有する管体部４８と、管体部４８の下端に環状方向に等間隔で形成された上側流路制御板５０を備えている。ここで上側流路制御板５０は、所定の幅を有し管体部４８の下端から下方向に延びる板状の部材である。
【００２１】
カバー部４４は、開口４２の縁部から斜め下方向に拡径する第一拡径部４４ａと、第一拡径部４４ａの下端に接続される第一円筒部４４ｂと、第一円筒部４４ｂの下端から斜め下方向に拡径する第二拡径部４４ｃと、第二拡径部４４ｃの下端に接続される第二円筒部４４ｄとを備えている。ここで第一円筒部４４ｂは、内壁が上側接続壁部４６の外壁に対して所定の間隔を有して形成されている。また第二円筒部４４ｄは、後述する下側接続部６０の差し口６４（図７参照）の上側の一部の外壁に対して所定の間隔を有して形成されている。
【００２２】
図７は下側接続部の斜視図である。下側接続部６０は上側接続壁部４６と接続される下側接続壁部６２と、立上げ管１２の上端部が接続される円筒形状の差し口６４とを備えている。周壁部を構成する下側接続壁部６２は周方向に空気導出溝６２ｃとして機能する大径部６２ａと、空気排出溝６２ｄとして機能する小径部６２ｂが交互に配置される円筒状の部材である。即ち下側接続壁部６２の円筒形状の内壁部に大径部６２ａとして形成されている上下方向に延びる溝が空気導出溝６２ｃとして機能し、下側接続壁部６２の円筒形状の外壁部に小径部６２ｂとして形成されている上下方向に延びる溝が空気排出溝６２ｄとして機能する。なお、大径部６２ａの外壁部の下部は、差し口６４の外壁部に接続され、空気導出溝６２ｃの下端部が下側接続壁部６２の外部に対して閉塞されている。
【００２３】
下側接続壁部６２の小径部６２ｂの上端部には、下側流路制御板６６が設けられている。ここで下側流路制御板６６は、所定の幅を有し小径部６２ｂの上端から上方向に延びる板状の部材である。
【００２４】
図８は空気抜き排水管カバーのカバー部の図示を省略した斜視図であり、図９は空気抜き排水管カバーの下側接続部の上端部における横断面図である。空気抜き排水管カバー１０は、上側接続壁部４６の下部を下側接続壁部６２の円筒内の上部に嵌合させている。即ち上側接続壁部４６の管体部４８の下端に形成されている上側流路制御板５０が下側接続壁部６２の大径部６２ａに位置し空気導出溝６２ｃの上部を内側から覆うようにして上側接続壁部４６の下部を下側接続壁部６２の円筒内の上部に嵌合させている。この場合に下側接続壁部６２の円筒内に嵌合させた上側接続壁部４６の下部の外壁は、下側接続壁部６２の内壁に接着されている。なお、カバー部４４の内壁と、下側接続壁部６２の大径部６２ａの外壁とが接着されていても良い。
【００２５】
下側流路制御板６６は、隣り合う上側流路制御板５０の間の空間を覆っている。従って空気抜き排水管カバー１０内には、上側接続壁部４６、上側流路制御板５０、下側流路制御板６６、下側接続壁部６２及び差し口６４により構成される雨水流路が形成される。
【００２６】
また空気導出溝６２ｃの下部は、下側接続壁部６２の円筒形状の内側に解放され、空気導出溝６２ｃの上部が上側流路制御板５０により内側から覆われおり、更に空気導出溝６２ｃの上部が下側接続壁部６２の円筒形状の外側に解放されていることから、空気導出溝６２ｃ及び上側流路制御板５０により、雨水流路から空気を雨水流路外に導出する空気導出路６３ａが形成される。
【００２７】
更に上側接続部４０のカバー部４４が下側接続壁部６２の全体を覆うように配置された際に、カバー部４４の内壁が下側接続壁部６２の大径部６２ａの外壁に近接して大径部６２ａと大径部６２ａとの間に位置する小径部６２ｂ、即ち空気導出溝６２ｃの外側を覆うと共にカバー部４４の下方に開口を形成する。従って空気排出溝６２ｄ及びカバー部４４により、空気導出路６３ａを介して雨水流路外に導出された空気を空気抜き排水管カバー１０の外に排出する空気排出路６３ｂが形成される。
【００２８】
横引き管８は、所定の排水勾配を有して地中に埋設されている。横引き管８には、圧力開放蓋１８ａを備えた雨水桝１８、圧力開放蓋２０ａを備えたトラップ桝２０及び室内配管１６が接続される合流桝２２が設けられており、合流桝２２を介して下水本管Ｐに接続されている。室内配管１６は、建物内の床上に設置されている便器などの宅内排水設備５０を合流桝２２に接続している。
【００２９】
トラップ桝２０は、トラップ２１ａを介して雨水桝１８及び上流側の横引き管８にＴ字継手２１ｂにより連結されている。トラップ２１ａは谷状に湾曲する谷状ターン部を有し、上流側の横引き管８の管内を、汚水が流れる室内排水管１６から遮断する封水を溜めるように構成されている。雨水桝１８に設けられている圧力開放蓋１８ａ及びトラップ桝２０に設けられている圧力開放蓋２０ａは、雨水桝１８及びトラップ桝２０の上流側、又は下流側において所定の内圧が生じたときに蓋の一部が開いて圧力を開放し、圧力開放蓋１８ａ及び圧力開放蓋２０ａが雨水桝１８及びトラップ桝２０から外れるのを防止する。即ち圧力開放蓋１８ａ及び圧力開放蓋２０ａは、上下に貫通する通気孔が設けられた蓋本体と、蓋本体に被せられた弁体を備えており、雨水桝１８及びトラップ桝２０の内圧が高くなると、その内圧を受けて弁体が浮き上がり通気孔が開放され雨水桝１８及びトラップ桝２０内の空気が排出される。これにより圧力開放蓋１８ａ及び圧力開放蓋２０ａが雨水桝１８及びトラップ桝２０から外れるのを防止することができる。
【００３０】
次に本実施の形態に係る雨水排水システムによる雨水の排水について説明する。図２及び図３に示すように本実施の形態に係る雨水排水システム２は、サイホン作用を利用した高排水機構を備えているため、軒樋４に流入した雨水が竪樋６内を流れると共に開口部２８ａ及び吸水孔２８ｂから吸水管２８内に流入し、吸水管２８から負圧誘発管３０内を流れて排水される。大雨時に多量の雨水が吸水管２８から負圧誘発管３０内を流れると、流路面積を縮小している負圧誘発部３０ａの抵抗で乱流が生じ、負圧誘発部３０ａよりも上方に雨水の滞留が発生し吸水管２８及び負圧誘発管３０が雨水で満たされる。吸水管２８及び負圧誘発管３０が雨水で満たされ、負圧誘発部３０ａの抵抗力を上回る水圧が負圧誘発部３０ａに作用すると、滞留した雨水が急激に流下して負圧が発生する。これにより軒樋４内の雨水が負圧により引っ張られて開口部２８ａ及び吸水孔２８ｂから急激に吸い込まれ、自然落下よりも高速で竪樋６内の雨水を流下させることができる。
【００３１】
この雨水排水システムにおいては、竪樋６から空気抜き排水管カバー１０及び立上げ管１２を介して曲管１４に多量の雨水が流入することから、曲管１４内で乱流が発生し、排水管を構成する曲管１４内や横引き管８内に空気溜まりが生じる。このような場合、曲管１４内に生じた空気溜まりの空気は、立上げ管１２内を上昇し空気抜き排水管カバー１０の下側接続部６２の内部から空気導出路６３ａ及び空気排出路６３ｂを通って空気抜き排水管カバー１０の下部から空気抜き排水管カバー１０の外部に排出される。また横引き管８内に生じた空気溜まりの空気は、雨水桝１８に設けられている圧力開放蓋１８ａ及びトラップ桝２０に設けられている圧力開放蓋２０ａから排出される。
【００３２】
従って、排水管を構成する曲管１４内や横引き管８内において発生した空気溜まりの空気を空気抜き排水管カバー１０や、雨水桝１８に設けられている圧力開放蓋１８ａ及びトラップ桝２０に設けられている圧力開放蓋２０ａから排出することができるため、曲管１４内や横引き管８内の流路面積の減少を抑制し、曲管１４内や横引き管８内を満管にして雨水を流すことができることから多量の雨水を良好に排水することができる。
【００３３】
また空気抜き排水管カバー１０の下部から下向きに空気を排出するため、空気と共に雨水が空気抜き排水管カバー１０から排出された場合においても、飛散した雨水により家屋の壁が汚れるのを防止することができる。
【００３４】
なお上述の実施の形態に係る雨水排水システム２の高排水機構においては、吸水管２８及び負圧誘発管３０を備え、負圧誘発管３０に負圧誘発部３０ａを設けてサイホン作用を利用した高速排水を行っているが、吸水管２８及び負圧誘発管３０を用いない場合においてもサイホン作用を利用した高速排水を行うことができる。即ち立上げ管１２を空気抜き排水管カバー１０の差し口６４内に嵌入し、差し口６４の内壁と立上げ管１２の外壁とを液密となるように接着した場合には、立上げ管１２の上端部において雨水流路が縮径されるため、大雨の場合には立上げ管１２の上端部より上の排水管カバー１０、竪樋６内に雨水が溜まって満水状態になりサイホン作用が発生する。従ってサイホン作用を利用して軒樋４及び竪樋６内の雨水を高速で排水することができる。
【００３５】
また上述の実施の形態においては、円筒形状の竪樋６に用いられる上側接続部４０及び下側接続部６０が円筒形状を有する空気抜き排水管カバー１０について説明したが、角筒形状の竪樋に用いる場合には、上側接続部及び下側接続部が竪樋と同様な角筒形状を有する空気抜き排水管カバーを用いるなど、竪樋と同様な筒形状を有する上側接続部及び下側接続部により構成される空気抜き排水管カバーを用いる。
【００３６】
また上述の実施の形態においては、雨水桝１８に圧力開放蓋１８ａを設けると共にトラップ桝２０に圧力開放蓋２０ａを設けているが、雨水桝１８及びトラップ桝２０のいずれか一方に圧力開放蓋を設けるようにしてもよい。
【符号の説明】
【００３７】
２…雨水排水システム、４…軒樋、６…竪樋、８…横引き管、１０…空気抜き排水管カバー、１４…曲管、１８…雨水桝、２０…トラップ桝、２２…合流桝、２８…吸水管、３０…負圧誘発管、３０ａ…負圧誘発部、４０…上側接続部、４４…カバー部、４６…上側接続壁部、４８…管体部、５０…上側流路制御板、６０…下側接続部、６２…下側接続壁部、６２ｃ…空気導出溝、６２ｄ…空気排出溝、６３ａ…空気導出路、６３ｂ…空気排出路、６６…下側流路制御板
【図１】
2018003463.tif 000003
【図２】
2018003463.tif 000004
【図３】
2018003463.tif 000005
【図４】
2018003463.tif 000006
【図５】
2018003463.tif 000007
【図６】
2018003463.tif 000008
【図７】
2018003463.tif 000009
【図８】
2018003463.tif 000010
【図９】
2018003463.tif 000011